(57)【要約】【課題】管体へ装着する際の作業性を損なうことなく、またシール性を損なうことなく、外力が作用した場合のアダプタの脱落を防止すること。【解決手段】基端部が管体の太径部よりも大きな内径の筒状を成すアダプタと、管体において太径部よりも基端側となる基部に貫挿し、アダプタの外周部との間に構成した締結手段を介してアダプタの基端外周部に装着される締結部材と、締結部材の内周面、管体における基部の外周面、アダプタの基端面、アダプタの内周面及び管体の太径部の間に介在し、締結部材にアダプタを締結させた場合に弾性的に変形して管体における基部の外周面及びアダプタの基端面もしくはアダプタの内周面によりシールされるパッキン部材を備えた。【選択図】        図２
2009235814.tif 000002
【特許請求の範囲】
【請求項１】
管部の先端部に太径部を有した管体に接続されるアダプタ装置であって、
少なくとも基端部が前記管体の前記太径部の外径よりも大きな内径の筒状を成すアダプタと、
前記管体において前記太径部よりも基端側となる基部に貫挿し、前記アダプタの外周部との間に構成した締結手段を介して前記アダプタの基端外周部に装着される締結部材と、
前記締結部材の内周面、前記管体における前記基部の外周面、前記アダプタの基端面、前記アダプタの内周面及び前記管体の太径部の間に介在し、前記締結部材に前記アダプタを締結させた場合に弾性的に変形して前記管体における基部の外周面及び前記アダプタの基端面もしくは前記アダプタの内周面によりシールされるパッキン部材を備えたことを特徴とするアダプタ装置。
【請求項２】
前記パッキン部材が締結部材の内周面、前記管体における基部の外周面及び前記アダプタの基端面の間に介在する第１パッキン部材と、前記締結部材に前記アダプタを締結させた時に前記アダプタの内周面、前記管体における基部の外周面及び前記管体の太径部の間に介在する第２パッキン部材との組み合わせからなることを特徴とする請求項１に記載のアダプタ装置。
【発明の詳細な説明】
【技術分野】
【０００１】
本発明は、水道の蛇口等のように、管部の先端部付近に太径部を有した管体に接続されるアダプタ装置に関するものである。
【背景技術】
【０００２】
この種のアダプタ装置としては、水道の蛇口に直接取り付けるようにした小型の浄水器に用いられているものがある。例えば、特許文献１に記載されているような、弾性パッキンを装着した本体と、袋ナット（本発明で言う締結部材）と、リング部材とから構成されているものがある。袋ナットには、本体の上端部の雄ねじに締結可能な雌ねじが形成され、かつ水道蛇口の太径部よりも径が大きい開口部が設けられている。ただしこの開口部の内径は、リング部材の外径より小さい。リング部材はドーナツ状であり、周方向の一箇所に切れ目を有し、周方向に弾性変形する。袋ナットを水道蛇口に通じ、次にリング部材を弾性変形させながら水道蛇口に通す。続いて水道蛇口の太径部にリング部材が引っかかった状態で、袋ナットを本体の雄ねじにねじ込むと、水道蛇口の先端部に弾性パッキンが密着した状態で本体を水道蛇口に固定できる。水道蛇口から本体に水道水が流れる時に水が漏れることはない。
【０００３】
【特許文献１】特開２００３−６４７４３号公報（図４）
【０００４】
ところで、上記の浄水器は管部の先端部とパッキンを当接させてシールするため、管体の先端部に太径部を有し、当接部分の面積が確保できる管体にのみ適用が可能であり、管体の先端部より基端側に太径部を有する管体に適用した場合、管体の先端部に太径部がないため、当接する部分の面積が確保できず、水漏れを起こす可能性がある。
【０００５】
これに対し、図１に示すアダプタ装置は、管部１００の先端部に太径部１ｂを有した管体に接続されるアダプタ装置であって、少なくとも基端部が管体１００の太径部１ｂよりも大きな内径の筒状を成すアダプタ１０１と、管体１００において太径部１ｂよりも基端側となる基部に貫挿し、アダプタ１０１の外周部との間に構成した締結手段を介してアダプタ１０１の基端外周部に装着される締結部材１０２と、締結部材１０２の内周面、管体１００における基部の外周面及びアダプタ１０１の基端面の間に介在し、締結部材１０２にアダプタ１０１を締結させた場合にパッキン部材１０３は弾性的に変形して管体１００における基部の外周面及びアダプタ１０１の基端面に当接し、シールすることができる。このようなアダプタ装置が市販されている。
【発明の開示】
【発明が解決しようとする課題】
【０００６】
ところで、上記のようにして蛇口に取り付けられた浄水器においては、下向きの力が加えられた場合、蛇口の太径部１ｂがパッキン部材１０３における取付孔の内周面に押圧されることになる。上述したようにパッキン部材１０３は、取付孔が拡開するように構成されたものである。しかも、管体１００における基部の外周面と締結部材の内周面との間には、当該パッキン部材１０３の取付孔が容易に拡開するに十分な距離が存在する。従って、取付孔の内周面に蛇口の太径部１ｂが押圧された場合には、取付孔が弾性的に拡開し、浄水器が蛇口から脱落する事態を招来する虞れがある。
【０００７】
こうした問題は、パッキン部材１０３として硬度の大きいものを適用し、取付孔の内周面に蛇口の太径部１ｂが押圧された場合の変形量を小さくすることで解決することが可能である。しかしながら、パッキン部材１０３として硬度の大きいものを適用した場合には、蛇口に取り付ける際の変形量も小さくなるため、太径部１ｂを越えて管体１００に装着する際の作業性が大きく損なわれることになる。またこうした問題に対し、締付部材１０２の内周面を小さくすることで、管体１００における基部の外周面と締付部材１０２との距離を小さくし、変形量を小さくすることで解決することが可能である。しかしながら、締付部材１０２の内周面を小さくした分、シール面となるアダプタ基端面が小さくなり、パッキンのシール性が大きく損なわれることになる。
【０００８】
本発明の目的は、上記実情に鑑みて、管体へ装着する際の作業性を損なうことなく、またシール性を損なうことなく、外力が作用した場合のアダプタの脱落を防止することのできるアダプタ装置を提供することにある。
【課題を解決するための手段】
【０００９】
上記目的を達成するため、本発明の請求項１に係るアダプタ装置は、管部の先端部に太径部を有した管体に接続されるアダプタ装置であって、少なくとも基端部が管体の太径部よりも大きな内径の筒状を成すアダプタと、前記管体において太径部よりも基端側となる基部に貫挿し、前記アダプタの外周部との間に構成した締結手段を介して前記アダプタの基端外周部に装着される締結部材と、前記締結部材の内周面、前記管体における基部の外周面、前記アダプタの基端面、前記アダプタの内周面及び前記管体の太径部の間に介在し、前記締結部材に前記アダプタを締結させた場合に弾性的に変形して前記管体における基部の外周面及び前記アダプタの基端面もしくは前記アダプタの内周面によりシールされるパッキン部材を備えたことを特徴とする。
【００１０】
また、本発明の請求項２に係るアダプタ装置は、上述した請求項１において、前記締結部材の内周面、前記管体における基部の外周面及び前記アダプタの基端面の間に介在する第１パッキン部材と、前記締結部材に前記アダプタを締結させた場合に前記アダプタの内周面、前記管体における基部の外周面及び前記管体の太径部の間に介在し、前記管体から前記アダプタを抜去させる方向に移動させた場合に弾性変形する第２パッキン部材との組み合わせからなることを特徴とする。
【発明の効果】
【００１１】
本発明によれば、アダプタの内周面と管体における基部の外周面と管体の太径部との間にパッキン部材を介在させているため、アダプタが管体から脱落するには、パッキン部材のうち、アダプタの内周面と管体における基部の外周面と管体の太径部に介在させている部分の内径が管体における太径部の外径以上に拡開する必要がある。ここで、アダプタの内周面と管体における太径部の外周面との間の隙間は、締結部材の内周面と管体における太径部の外周面との間の隙間よりも必然的に小さく構成されることになる。従って、アダプタが管体から脱落するには、パッキン部材のうち、アダプタの内周面と管体における基部の外周面と管体の太径部に介在させている部分が、このアダプタの内周面と管体における太径部の外周面との間の小さい隙間より小さい厚さに変形しなければならない。このため、パッキン部材として硬度の大きいものを適用せずとも、また締結部材の内径を小さくせずとも、管体の太径部が通過できるまでパッキン部材のうち、アダプタの内周面と管体における基部の外周面と管体の太径部に介在させている部分を変形させるために必要となる力もきわめて大きなものとなる。これにより、管体へ装着する際の作業性を損なうことなく、外力が作用した場合のアダプタの脱落を確実に防止することができるようになる。
【発明を実施するための最良の形態】
【００１２】
以下に添付図面を参照して、本発明に係るアダプタ装置の好適な実施の形態について詳細に説明する。
【００１３】
図２、図３、図４は、本発明の実施の形態であるアダプタ装置を示したもので、水道の蛇口（管体）１に直接取り付けられる小型の浄水器を例示している。本実施の形態で接続対象となる蛇口１は、管部（管体の基部）１ａの先端部に太径部１ｂを有したものである。太径部１ｂは、先端に向けて漸次外径が大きくなるように傾斜した第１テーパ部１ｂａと、第１テーパ部１ｂａの最外径部から先端に向けて漸次外径が小さくなるように傾斜した第２テーパ部１ｂｂとを有したものである。図からも明らかなように、第１テーパ部１ｂａは、第２テーパ部１ｂｂに比べて外径の変化率が大きくなるように構成してあり、基端側の管部１ａとの間に傾斜肩部を構成している。
【００１４】
この蛇口１に取り付ける浄水器は、アダプタ１０及び締結部材２０を備えている。アダプタ１０は、蛇口１の太径部１ｂよりも大きな内径を有した円柱状を成すもので、先端部の内周面に雌ネジ１１を有する一方、基端部の外周面に雄ネジ（締結手段）１２を有している。
【００１５】
締結部材２０は、アダプタ１０の外径よりも僅かに大きな内径を有した円柱状を成すもので、その基端部に中心孔２１を有している。中心孔２１は、蛇口１の太径部よりも僅かに大きい径を有するように構成してある。この締結部材２０には、先端部の内周面に雌ネジ（締結手段）２３が設けてある。この雌ネジ２３は、アダプタ１０の基端部外周面に構成した雄ネジ１２に螺合するものである。
【００１６】
また上記浄水器は、パッキン部材３０を備えている。パッキン部材３０は、合成ゴム等の弾性材料によって成形したもので、第１パッキン部分３１及び第２パッキン部分３２を有している。第１パッキン部分３１は、蛇口１において管部１ａの外径よりも僅かに小さい内径の中心孔３１ａを有した円筒状を成す部分である。第１パッキン部分３１の外径は、締結部材２０の内径とほぼ同じに形成してある。第２パッキン部分３２は、第１パッキン部分３１と同じ内径の中心孔３２ａを有する一方、第１パッキン部分３１よりも小さい外径を有した円筒状を成す部分である。第２パッキン部分３２の外径は、アダプタ１０の内径とほぼ同じに形成してある。この第２パッキン部分３２は、互いに中心孔３１ａ，３２ａを合致させた状態で第１パッキン部分３１の一端面から突出する態様で第１パッキン部分３１と一体成形してある。
【００１７】
上記のように構成した浄水器を蛇口１に取り付ける場合には、まず、図３に示すように、締結部材２０の内周にパッキン部材３０を装着した状態で締結部材２０の中心孔２１及びパッキン部材３０の中心孔３１ａ，３２ａに蛇口１を挿入する。パッキン部材３０は、締結部材２０の基端部側が第１パッキン部分３１となる向きに装着する。
【００１８】
上述したように、蛇口１の先端部に太径部１ｂが形成されているため、パッキン部材３０の中心孔３１ａ，３２ａに挿入する場合には、パッキン部材３０の中心孔３１ａ，３２ａを拡開する必要がある。しかしながら、蛇口１の先端側に位置する第２テーパ部１ｂｂは、その外径の変化率が小さいため、大きな操作力を要することなくパッキン部材３０の中心孔３１ａ，３２ａが拡開されることになり、挿入操作が煩雑化する虞れはない。
【００１９】
パッキン部材３０を介して蛇口１の太径部１ｂよりも基端側となる部位に締結部材２０を装着した後においては、図４に示すように、アダプタ１０の基端側からその中心孔１０ａに蛇口１の先端部を挿入し、そのままアダプタ１０を回転させることでアダプタ１０の基端部外周面に形成した雄ネジ１２を締結部材２０の雌ネジ２３に螺合させれば、図２に示すように、アダプタ１０が蛇口１に取り付けられる。図には示していないが、浄水器本体は、アダプタ１０の先端部に形成した雌ネジ１１に螺合して取り付けられる。
【００２０】
ここで、上記のように取り付けた浄水器にあっては、パッキン部材３０が締結部材２０の内周面と蛇口１における管部１ａの外周面とアダプタ１０の基端面とアダプタの内周面と管体の太径部との間に介在し、締結部材２０にアダプタ１０を締結させた場合に弾性的に変形して蛇口１における管部１ａの外周面及びアダプタ１０の基端面もしくはアダプタ１０の内周面にてシールされる。従って、蛇口１から水を出した場合にも蛇口１、アダプタ１０及び締結部材２０の隙間から水が漏出する虞れはない。
【００２１】
一方、パッキン部材３０の第２パッキン部分３２は、第１パッキン部分３１の一端面から突出し、締結部材２０にアダプタ１０を締結させた場合にアダプタ１０の内周面及び蛇口１における管部１ａの外周面の間に構成される空間に配置された状態にあり、蛇口１における太径部１ｂの第１テーパ部１ｂａが当接された状態となる。これにより、蛇口１に対してアダプタ１０の下方への移動が規制され、蛇口１にアダプタ１０が取り付けられた状態に保持されることになる。
【００２２】
上述した状態からアダプタ１０に蛇口１から抜去する方向に向けて力が加えられると、つまり図１においてアダプタ１０に下向きの力が加えられると、図５に示すように、蛇口１の太径部１ｂが圧接することによってパッキン部材３０の第２パッキン部分３２が弾性的に変形する。このとき、第２パッキン部分３２の内径が蛇口１における太径部１ｂの外径以上に拡開すれば、アダプタ１０が蛇口１から脱落することになる。
【００２３】
しかしながら、アダプタ１０の内周面と蛇口１における太径部１ｂの外周面との間の隙間は、締結部材２０の内周面と蛇口１における太径部１ｂの外周面との間の隙間よりも小さく構成されることになる。従って、アダプタ１０が蛇口１から脱落するには、第２パッキン部分３２が、この締結部材２０の内周面と蛇口１における太径部１ｂの外周面との間の隙間より小さい厚さに変形しなければならない。このため、パッキン部材３０として硬度の大きいものを適用せずとも、蛇口１の太径部１ｂが通過できるまで第２パッキン部分３２を変形させるために必要となる力もきわめて大きなものとなる。これにより、蛇口１へ装着する際の作業性を損なうことなく、外力が作用した場合のアダプタ１０の脱落を確実に防止することができるようになる。
【００２４】
尚、蛇口１からアダプタ１０を取り外す場合には、締結部材２０からアダプタ１０を取り外すことでパッキン部材３０の第２パッキン部分３２に対して変形の制限がなくなり、その中心孔３１ａ，３２ａを容易に拡開することが可能になる。これにより、アダプタ１０を蛇口１から容易に取り外すことができるようになる。
【００２５】
尚、上述した実施の形態では、第１パッキン部分３１と第２パッキン部分３２とを一体に成形したものを適用しているが、必ずしも第１パッキン部材３１と第２パッキン部材３２とが一体に成形されたものを適用する必要はなく個別に成形されたものを適用しても同様の作用効果を奏することができる。
【００２６】
また、上述した実施の形態では、アダプタ１０として円筒状を成すものを例示しているが、少なくとも基端部が蛇口１の太径部１ｂよりも大きな内径の筒状を成すものであれば、その他の形態のものにも適用することが可能である。
【図面の簡単な説明】
【００２７】
【図１】従来のアダプタ装置を示した要部断面側面図である。
【図２】本発明の実施の形態であるアダプタ装置を示した要部断面側面図である。
【図３】図２に示したアダプタ装置の取付状態を示す要部断面側面図である。
【図４】図２に示したアダプタ装置の取付状態を示す要部断面側面図である。
【図５】図２に示したアダプタ装置に管体から脱落する方向へ外力が加えられた状態を示す要部断面側面図である。
【符号の説明】
【００２８】
１      蛇口（管体）
１ａ      管部
１ｂ      太径部
１０      アダプタ
１０ａ      中心孔
１０ｂ      基端面
１０ｃ      内周面
１２      雄ネジ（締結手段）
２０      締結部材
２３      雌ネジ（締結手段）
３０      パッキン部材
３１      第１パッキン部分
３２      第２パッキン部分
【図１】
2009235814.tif 000003
【図２】
2009235814.tif 000004
【図３】
2009235814.tif 000005
【図４】
2009235814.tif 000006
【図５】
2009235814.tif 000007